(57)【要約】【課題】火力変更式調理メニューについて不慣れな使用者でも、火力変更式調理メニューを良好に使用できる加熱調理器を提供する。【解決手段】運転制御部Ｖが、火力変更式調理メニューの調理運転の開始が指令されると、火力変更式調理用加熱条件にてガスバーナＢの燃焼作動を制御する火力変更式調理処理を実行するように構成され、かつ、火力変更式調理処理を開始する際に、加熱調理中に火力が変更されることを示す音声報知情報を音声式報知部２７にて報知する音声式報知処理を実行するように構成されている。【選択図】図２
2020186854.tif 000002
【特許請求の範囲】
【請求項１】
被加熱物を加熱するガスバーナと、前記ガスバーナの燃焼作動を制御する運転制御部と、加熱調理中に前記ガスバーナの火力を変更する火力変更式調理用加熱条件にて前記ガスバーナを燃焼作動させる火力変更式調理メニューを指令する調理メニュー指令部とが備えられ、
前記運転制御部が、前記火力変更式調理メニューの調理運転の開始が指令されると、前記火力変更式調理用加熱条件にて前記ガスバーナの燃焼作動を制御する火力変更式調理処理を実行するように構成された加熱調理器であって、
前記運転制御部が、前記火力変更式調理処理を開始する際に、加熱調理中に火力が変更されることを示す音声報知情報を音声式報知部にて報知する音声式報知処理を実行するように構成されている加熱調理器。
【請求項２】
前記運転制御部が、前記火力変更式調理処理の実行中において、設定時間が経過する毎に前記音声式報知処理を実行するように構成されている請求項１に記載の加熱調理器。
【請求項３】
前記火力変更式調理メニューとして、前記火力変更式調理用加熱条件が前記ガスバーナを消火することなく火力を強弱に変更する形態で燃焼させる条件に定められた継続燃焼式調理メニューと、前記火力変更式調理用加熱条件が前記ガスバーナを燃焼状態と消火状態とを繰り返す形態で燃焼させる条件に定められた間欠燃焼式調理メニューとがあり、
前記調理メニュー指令部にて、前記継続燃焼式調理メニューと前記間欠燃焼式調理メニューとを指令できるように構成されている請求項１又は２に記載の加熱調理器。
【請求項４】
前記運転制御部が、前記継続燃焼式調理メニューと前記間欠燃焼式調理メニューとのうちの前記間欠燃焼式調理メニューについて、前記音声式報知処理を実行するように構成されている請求項３に記載の加熱調理器。
【請求項５】
前記ガスバーナが、調理用加熱室の内部に複数配置され、
前記間欠燃焼式調理メニューの前記火力変更式調理用加熱条件が、複数の前記ガスバーナのうちの少なくとも一つのガスバーナを前記燃焼状態と前記消火状態とを繰り返す形態で燃焼させる条件に定められている請求項３又は４に記載の加熱調理器。
【請求項６】
前記運転制御部が、前記間欠燃焼式調理メニューについての前記火力変更式調理処理の実行中において、前記ガスバーナを前記消火状態から前記燃焼状態に切換えるために点火作動させる際に、前記ガスバーナが点火されるタイミングであることを示す点火報知情報を点火報知部にて報知する点火報知処理を実行するように構成されている請求項３〜５のいずれか１項に記載の加熱調理器。
【請求項７】
前記点火報知部が、前記点火報知情報を非音声情報として報知するように構成されている請求項６に記載の加熱調理器。
【請求項８】
前記運転制御部が、設定回数毎の前記点火報知処理において、前記点火報知情報を非音声情報に代えて、前記音声式報知部にて音声情報として報知するように構成されている請求項７に記載の加熱調理器。
【発明の詳細な説明】
【技術分野】
【０００１】
本発明は、被加熱物を加熱するガスバーナと、前記ガスバーナの燃焼作動を制御する運転制御部と、加熱調理中に前記ガスバーナの火力を変更する火力変更式調理用加熱条件にて前記ガスバーナを燃焼作動させる火力変更式調理メニューを指令する調理メニュー指令部とが備えられ、
前記運転制御部が、前記火力変更式調理メニューの調理運転の開始が指令されると、前記火力変更式調理用加熱条件にて前記ガスバーナの燃焼作動を制御する火力変更式調理処理を実行するように構成された加熱調理器に関する。
【背景技術】
【０００２】
かかる加熱調理器の従来例として、加熱調理器としてのガスコンロにおいて、コンロバーナを、第１火力（小火力）と第１火力よりも大きな第２火力（中火力）とに繰り返し切換える形態で燃焼させて、当該コンロバーナにて加熱される調理容器を設定温度（例えば、１４０℃〜１５０℃の温度帯）で温調制御する温調調理モードを実行するように構成されたものがある（例えば、特許文献１参照）。
【０００３】
つまり、特許文献１においては、温調調理モードが、火力変更式調理メニューに相当することになり、また、温調調理モードが、火力変更式調理用加熱条件を、ガスバーナでああるコンロバーナを消火することなく火力を強弱に変更する形態で燃焼させる条件に定められた継続燃焼式調理メニューを構成することになる。
【０００４】
また、加熱調理器の別の従来例として、加熱調理器としてのグリルにおいて、調理用加熱室としてのグリル庫内に設けたグリルバーナを燃焼状態と消火状態とを繰り返す形態で燃焼させて、グリルバーナにて加熱される調理容器を設定温度（例えば、３５℃〜３８℃の温度帯）で温調制御するパン生地発酵モードを実行するように構成されたものがある（例えば、特許文献２参照）。
【０００５】
つまり、特許文献２においては、パン生地発酵モードが、火力変更式調理メニューに相当することになり、また、パン生地発酵モードが、火力変更式調理用加熱条件を、ガスバーナとしてのグリルバーナを燃焼状態と消火状態とを繰り返す形態で燃焼させる条件に定められた間欠燃焼式調理メニューを構成することになる。
【先行技術文献】
【特許文献】
【０００６】
【特許文献１】特開２０１４‐５５７２４号公報
【特許文献２】特開２０１８‐１２１８６７号公報
【発明の概要】
【発明が解決しようとする課題】
【０００７】
火力変更式調理メニューを備えた加熱調理器においては、ガスバーナの火力の変更（ガスバーナの火力を強弱に変更すること、又は、ガスバーナを燃焼状態と消火状態とに変更すること）が自動的に行われることになる。
そのため、火力変更式調理メニューについて不慣れな使用者（調理者）が、ガスバーナの火力の変更（ガスバーナの火力の強弱の変更又は燃焼状態と消火状態との変更）を見て、ガスバーナが故障していると判断する等の誤判断を起す虞や、火力変更式調理メニューについて不慣れな使用者が、ガスバーナの火力の変更（ガスバーナの火力の強弱の変更又は燃焼状態と消火状態との変更）に驚いてしまう等の虞があり、火力変更式調理メニューを良好に使用できない不都合が発生する虞があり、改善が望まれるものであった。
【０００８】
本発明は、上記実状に鑑みて為されたものであって、その目的は、火力変更式調理メニューについて不慣れな使用者でも、火力変更式調理メニューを良好に使用できる加熱調理器を提供する点にある。
【課題を解決するための手段】
【０００９】
本発明の加熱調理器は、被加熱物を加熱するガスバーナと、前記ガスバーナの燃焼作動を制御する運転制御部と、加熱調理中に前記ガスバーナの火力を変更する火力変更式調理用加熱条件にて前記ガスバーナを燃焼作動させる火力変更式調理メニューを指令する調理メニュー指令部とが備えられ、
前記運転制御部が、前記火力変更式調理メニューの調理運転の開始が指令されると、前記火力変更式調理用加熱条件にて前記ガスバーナの燃焼作動を制御する火力変更式調理処理を実行ように構成されたものであって、その特徴構成は、
前記運転制御部が、前記火力変更式調理処理を開始する際に、加熱調理中に火力が変更されることを示す音声報知情報を音声式報知部にて報知する音声式報知処理を実行するように構成されている点にある。
【００１０】
すなわち、火力変更式調理処理が開始される際に、加熱調理中に火力が変更されることを示す音声報知情報が音声式報知部にて報知されることになるから、火力変更式調理メニューを指令した使用者が、火力変更式調理メニューの加熱調理が行われる最中には、ガスバーナの火力が変更されること（火力が強弱に変更されること又は燃焼状態と消火状態とに変更されること）を認識できることになる。
【００１１】
したがって、火力変更式調理メニューについて不慣れな使用者でも、ガスバーナの火力が変更（ガスバーナの火力の強弱の変更又は燃焼状態と消火状態との変更）されることを見て、ガスバーナが故障していると判断する等の誤判断を起すことや、ガスバーナの火力の変更（ガスバーナの火力の強弱の変更又は燃焼状態と消火状態との変更）に驚くことが無くなり、火力変更式調理メニューを良好に使用できることになる。
【００１２】
ちなみに、音声報知情報を音声式報知部にて報知する際には、音声報知情報に先立って、注意を促す警報音（例えば、ピッピー等の電子音）を発生させるようにしてもよい。
【００１３】
要するに、本発明の加熱調理器の特徴構成によれば、火力変更式調理メニューについて不慣れな使用者でも、火力変更式調理メニューを良好に使用できる。
【００１４】
本発明の加熱調理器の更なる特徴構成は、前記運転制御部が、前記火力変更式調理処理の実行中において、設定時間が経過する毎に前記音声式報知処理を実行するように構成されている点にある。
【００１５】
すなわち、火力変更式調理メニューについての火力変更式調理処理の実行中において、設定時間が経過する毎に、加熱調理中に火力が変更されることを示す音声報知情報が音声式報知部にて報知されることになるから、火力変更式調理メニューについて不慣れな使用者に対して、加熱調理が行われる最中には、ガスバーナの火力が変更されること（火力が強弱に変更されること又は燃焼状態と消火状態とに変更されること）を十分に認識させることができることになる。
【００１６】
特に、火力変更式調理メニューについての火力変更式調理処理が長時間（例えば、２時間）に亘る場合において、設定時間（例えば、３０分）が経過する毎に、加熱調理中に火力が変更されることを示す音声報知情報を音声式報知部にて報知させるようにすれば、火力変更式調理メニューについて不慣れな使用者に対して、加熱調理が行われる最中には、ガスバーナの火力が変更されること（火力が強弱に変更されることや燃焼状態と消火状態とに変更されること）を十分に認識させることができるものとなる。
【００１７】
要するに、本発明の加熱調理器の更なる特徴構成によれば、火力変更式調理メニューについて不慣れな使用者に対して、加熱調理が行われる最中には、ガスバーナの火力が変更されることを十分に認識させることができる。
【００１８】
本発明の加熱調理器の更なる特徴構成は、前記火力変更式調理メニューとして、前記火力変更式調理用加熱条件が前記ガスバーナを消火することなく火力を強弱に変更する形態で燃焼させる条件に定められた継続燃焼式調理メニューと、前記火力変更式調理用加熱条件が前記ガスバーナを燃焼状態と消火状態とを繰り返す形態で燃焼させる条件に定められた間欠燃焼式調理メニューとがあり、
前記調理メニュー指令部にて、前記継続燃焼式調理メニューと前記間欠燃焼式調理メニューとを指令できるように構成されている点にある。
【００１９】
すなわち、火力変更式調理メニューとして、ガスバーナを消火することなく火力を強弱に変更する形態で燃焼させる条件に定められた継続燃焼式調理メニューと、ガスバーナを燃焼状態と消火状態とを繰り返す形態で燃焼させる条件に定められた間欠燃焼式調理メニューとを選択して指令しながら、継続燃焼式調理メニューと間欠燃焼式調理メニューとを行うことができるから、各種の加熱調理を良好に行うことができる。
【００２０】
ちなみに、ガスバーナがコンロバーナである場合において、継続燃焼式調理メニューとしては、被加熱物としての調理容器の温度を１００℃以上（例えば、１４０℃）に維持する高温温調モードを挙げることができ、間欠燃焼式調理メニューとしては、被加熱物としての調理容器の温度を１００℃未満（例えば、５０℃）に維持する低温温調モードを挙げることができる。
【００２１】
要するに、本発明の加熱調理器の更なる特徴構成によれば、継続燃焼式調理メニューと間欠燃焼式調理メニューとを用いて、各種の加熱調理を良好に行うことができる。
【００２２】
本発明の加熱調理器の更なる特徴構成は、前記運転制御部が、前記継続燃焼式調理メニューと前記間欠燃焼式調理メニューとのうちの前記間欠燃焼式調理メニューについて、前記音声式報知処理を実行するように構成されている点にある。
【００２３】
すなわち、ガスバーナが燃焼を継続する継続燃焼式調理メニューと、ガスバーナが燃焼状態と消火状態とを繰り返す間欠燃焼式調理メニューとを比較すると、間欠燃焼式調理メニューの方が、継続燃焼式調理メニューよりも、ガスバーナが故障していると使用者が判断する虞や、間欠燃焼式調理メニューについて不慣れな使用者を驚かせてしまう等の虞が高いと考えられる。
【００２４】
つまり、ガスバーナが燃焼状態から消火状態になると、ガスバーナが故障したと誤判断し易く、また、ガスバーナが消火状態から燃焼状態になること（ガスバーナが自動で点火されること）による火炎の発生や点火プラグの点火作動が、使用者を驚かせ易いものと考えられる。
【００２５】
このように、ガスバーナが故障していると判断する虞や、使用者を驚かせてしまう等の虞が高い間欠燃焼式調理メニューに対して、加熱調理中に火力が変更されることを示す音声報知情報が音声式報知部にて報知されるから、間欠燃焼式調理メニューを良好に行うことができる。
ちなみに、間欠燃焼式調理メニューについての加熱調理中に火力が変更されることを示す音声報知情報としては、加熱調理中に消火状態から燃焼状態になること（ガスバーナが自動で点火されること）を示す情報とすることにより、加熱調理中に消火状態から燃焼状態になること（ガスバーナが自動で点火されること）を的確に認識させることができるものとなってよい。
【００２６】
要するに本発明の加熱調理器の更なる特徴構成によれば、間欠燃焼式調理メニューを良好に行うことができる。
【００２７】
本発明の加熱調理器の更なる特徴構成は、前記ガスバーナが、調理用加熱室の内部に複数配置され、
前記間欠燃焼式調理メニューの前記火力変更式調理用加熱条件が、複数の前記ガスバーナのうちの少なくとも一つのガスバーナを前記燃焼状態と前記消火状態とを繰り返す形態で燃焼させる条件に定められている点にある。
【００２８】
すなわち、間欠燃焼式調理メニューの火力変更式調理用加熱条件が、調理用加熱室の内部に配置した複数のガスバーナのうちの少なくとも一つのガスバーナを燃焼状態と消火状態とを繰り返す形態で燃焼させる条件に定められているから、調理用加熱室の内部に配置した複数のガスバーナの全てを燃焼状態と消火状態とを繰り返す形態で燃焼させる状態、又は、調理用加熱室の内部に配置した複数のガスバーナの一部を燃焼状態と消火状態とを繰り返す形態で燃焼させる状態で燃焼させながら、調理用加熱室の内部に収納した被加熱物を間欠燃焼式調理メニューにて良好に加熱調理することができる。
【００２９】
ちなみに、調理用加熱室が、グリドル用調理容器を収納するグリドル用の調理用加熱室の場合においては、複数のガスバーナとして、グリドル用調理容器の上部を加熱する上部バーナとグリドル用調理容器の底部を加熱する下部バーナとを設けて、グリドル用調理容器を低温状態で加熱しながら各種の調理を行うことができる。
【００３０】
要するに本発明の加熱調理器の更なる特徴構成によれば、調理用加熱室の内部に収納した被加熱物を間欠燃焼式調理メニューにて良好に加熱調理することができる。
【００３１】
本発明の加熱調理器の更なる特徴構成は、前記運転制御部が、前記間欠燃焼式調理メニューについての前記火力変更式調理処理の実行中において、前記ガスバーナを前記消火状態から前記燃焼状態に切換えるために点火作動させる際に、前記ガスバーナが点火されるタイミングであることを示す点火報知情報を点火報知部にて報知する点火報知処理を実行するように構成されている点にある。
【００３２】
すなわち、間欠燃焼式調理メニューについての火力変更式調理処理の実行中において、ガスバーナを消火状態から燃焼状態に切換えるために点火作動させる際に、ガスバーナが点火されるタイミングであることを示す点火報知情報が点火報知部にて報知されるから、使用者（調理者）は、ガスバーナが消火状態から燃焼状態になることを、事前に知ることができる。
【００３３】
このように、ガスバーナが消火状態から燃焼状態になることを、使用者（調理者）は事前に知ることができるから、使用者（調理者）が意識していないときに、点火プラグの点火作動によりガスバーナが消火状態から燃焼状態になって、使用者（調理者）が驚く等の不都合が発生することを回避して、使い勝手を向上できる。
【００３４】
要するに、本発明の加熱調理器の更なる特徴構成によれば、ガスバーナが消火状態から燃焼状態になることを、使用者に事前に知らせることによって、使い勝手を向上できる。
【００３５】
本発明の加熱調理器の更なる特徴構成は、前記点火報知部が、前記点火報知情報を非音声情報として報知するように構成されている点にある。
【００３６】
すなわち、点火報知部が、点火報知情報を非音声情報として報知するものであるから、省エネを図りながら、点火報知情報を良好に報知することができる。
つまり、非音声情報は音声報知情報に較べて電力消費量を少なくしながら、報知できるものであるから、点火報知情報を非音声情報として報知することにより、省エネを図ることができる。
ちなみに、非音声情報である点火報知情報としては、例えば、ピッピー等の電子音を発生させることが考えられる。
【００３７】
要するに、本発明の加熱調理器の更なら特徴構成によれば、省エネを図りながら、点火報知情報を良好に報知することができる。
【００３８】
本発明の加熱調理器の更なる特徴構成は、前記運転制御部が、設定回数毎の前記点火報知処理において、前記点火報知情報を非音声情報に代えて、前記音声式報知部にて音声情報として報知するように構成されている点にある。
【００３９】
すなわち、設定回数毎の点火報知処理において、点火報知情報が非音声情報に代えて、音声式報知部にて音声情報として報知されるから、使用者（調理者）が、音声情報にて、ガスバーナが消火状態から燃焼状態になることを的確に認識できる。
ちなみに、点火報知情報を音声情報にて報知する場合には、例えば、点火作動することを示す音声情報を報知することになる。
【００４０】
このように、使用者（調理者）が、音声情報にて、ガスバーナが消火状態から燃焼状態になること（点火作動されること）を的確に認識できるから、点火プラグの点火作動によりガスバーナが消火状態から燃焼状態になって、使用者（調理者）が驚く等の不都合が発生することを的確に回避して、使い勝手を一層向上できる。
【００４１】
要するに、本発明の加熱調理器の更なる特徴構成によれば、ガスバーナが消火状態から燃焼状態になることを的確に認識させて、使い勝手を一層向上できる。
【図面の簡単な説明】
【００４２】
【図１】ガスコンロの斜視図である。
【図２】燃料ガス供給構成及び点火用構成を示す回路図である。
【図３】グリドルの縦断側面図である。
【図４】容器支持部をグリドル庫から引き出した状態の斜視図である。
【図５】調理鍋と調理容器支持部との関係を示す斜視図である。
【図６】コンロバーナ用設定操作部の平面図である。
【図７】温度設定モードの底部温度の変化を示す図である。
【図８】パン生地発酵焼成モードの底部温度の変化を示す図である。
【発明を実施するための形態】
【００４３】
〔実施形態〕
以下、本発明の実施形態を図面に基づいて説明する。
（ガスコンロの全体構成）
図１に示すように、ビルトイン式のガスコンロＧＣが、コンロ本体Ｈの上面部に、コンロバーナ１（ガスバーナＢの一例）として、標準火力バーナ１Ａ、小火力バーナ１Ｂ及び大火力バーナ１Ｃを有するコンロ部ＣＲを備え、且つ、コンロ本体Ｈの横幅方向中央部に、加熱室式調理部としてのグリドルＧ（図３参照）を備える形態に構成されている。
尚、コンロ部ＣＲを備えるガスコンロＧＣは、本発明の加熱調理器に相当し、また、当該ガスコンロＧＣに装備されるグリドルＧも、本発明の加熱調理器に相当する。
【００４４】
コンロ本体Ｈは、上部が開口された箱状の金属製のケーシング２を主要部として構成され、コンロ本体Ｈの上部には、ガラス製の天板３が配置され、グリドルＧが、天板３の下側箇所に配置されている。
天板３の後部側には、グリドルＧの調理排気を排気するためのグリドル排気口４が形成されている。
【００４５】
３つのコンロバーナ１のうちの、標準火力バーナ１Ａ及び大火力バーナ１Ｃが、天板３の前側に左右に並ぶ状態で配置され、且つ、小火力バーナ１Ｂが、天板３の後側における左右方向の中央に位置する状態で配置されている。
つまり、標準火力バーナ１Ａ及び大火力バーナ１Ｃが、天板３の前側に配置される前側コンロバーナ１に相当し、小火力バーナ１Ｂが、天板３の後側に配置される後側コンロバーナ１に相当する。
【００４６】
天板３の上部には、コンロバーナ１にて加熱される被加熱物としての鍋やフライパン等のコンロ用調理容器Ｊ（図２参照）を載置するための五徳５が、３つのコンロバーナ１の夫々に対応して設けられている。
コンロバーナ１の中央部には、鍋等の調理容器の存在及びコンロ用調理容器Ｊ（図２参照）の底壁温度Ｔｈを検出するコンロバーナセンサ１Ｓが設けられている。
【００４７】
ケーシング２の内部には、図３に示すように、グリドルＧを構成する調理用加熱室としてのグリドル庫６が設けられ、当該グリドル庫６には、グリドルバーナ７（ガスバーナＢの一例）として、グリドル庫６の天井部に設けられる上部バーナ７Ｕと、グリドル庫６の底部に設けられる下部バーナ７Ｓとが設けられている。
【００４８】
図１に示すように、天板３の手前側の左右中央箇所には、コンロバーナ１やグリドルバーナ７の運転に関する情報を表示画面に表示する液晶式の表示部Ｄが設けられている。この表示部Ｄの表示内容については、後述する。
【００４９】
（グリドルの詳細）
図３に示すように、グリドルＧには、上述したグリドル庫６が設けられている。このグリドル庫６は、前部及び後部が開口する筒状に形成され、グリドル庫６の後方側には、グリドルバーナ７の燃焼排ガスや被調理物からでる水蒸気等の調理排気を排気する排気路Ｅを形成する排気筒６Ａが上方側に延びる状態で連設され、その排気路Ｅにて調理排気を上述のグリドル排気口４に導くように構成されている。
ちなみに、ガスコンロＧＣに搭載されたグリドルＧは、マルチグリルと呼称される場合があり、本明細書においても、グリドルＧを、マルチグリルと呼称する場合がある。
【００５０】
図３及び図４に示すように、被加熱物としてのグリドル用調理容器Ｋを支持する調理容器支持部Ｌが、グリドル庫６に対して出退自在に設けられている。
本実施形態においては、グリドル用調理容器Ｋとして、被調理物の載置面が平坦状に形成されたプレートパン９Ａ（図３及び図４参照）、被調理物の載置面が波型に形成された波型プレートパン（図示せず）、及び、被調理物を収納する蓋付きの調理容器である調理鍋（キャセロール容器など）９Ｃ（図５参照）の３種類が存在するものとする。
【００５１】
図４に示すように、調理容器支持部Ｌは、グリドル庫６の内部に設けた固定レールに対して出退自在に案内される左右の可動レールＬａと、グリドル用調理容器Ｋの前縁部及び後縁部を載置支持する形態に棒状部材を曲げ加工して形成される支持枠Ｌｂ（図５参照）とを備える形態に構成されている。
そして、プレートパン９Ａ、波型プレートパン、及び、調理鍋９Ｃが、調理容器支持部Ｌにおける支持枠Ｌｂに対して、付け替え自在に装着されるように構成されている。
【００５２】
図４に示すように、左右の可動レールＬａの先端部に、グリドル庫６の前部に形成された前開口部６ｆを開閉するグリドル扉８（図１参照）を取付ける扉支持体８Ａが設けられ、支持枠Ｌｂの先端部が扉支持体８Ａに係止連結されている。
尚、図示は省略するが、支持枠Ｌｂの後端部が、グリドル庫６の内部に設けた載置案内体にて、摺動自在に載置支持されている。
【００５３】
図３に示すように、グリドルバーナ７が、グリドル庫６の内部に収納されたグリドル用調理容器Ｋの上部を上部バーナ７Ｕにて加熱し、グリドル庫６の内部に収納されたグリドル用調理容器Ｋの底部を下部バーナ７Ｓにて加熱するように構成されている。
つまり、下部バーナ７Ｓが、グリドル庫６内に収納されたグリドル用調理容器Ｋを下方から加熱し、グリドル庫６の天井部に設けた上部バーナ７Ｕが、グリドル庫６内に収納されたグリドル用調理容器Ｋを上方から加熱するように構成されている。
【００５４】
下部バーナ７Ｓは、円筒状のバーナ本体部１０Ａと、そのバーナ本体部１０Ａに接続されるバーナ混合管部１０Ｂとを備え、バーナ本体部１０Ａには、周方向に沿って炎孔Ｆが形成されている。つまり、下部バーナ７Ｓは、炎孔Ｆを環状に備える形態に構成されている。
上部バーナ７Ｕは、下向きの平板状の火炎を形成する輻射式バーナであり、詳細な説明は省略するが、平板状の上バーナ本体部やその上バーナ本体部に接続される上バーナ混合管部を備え、上バーナ本体部の下面部に燃焼炎形成部が形成されている。
【００５５】
図２に示すように、下部バーナ７Ｓ及び上部バーナ７Ｕの夫々に対して、点火プラグとしてのグリドルバーナ用点火プラグＰｇ、及び、着火検出装置としてのグリドルバーナ用着火センサＲｇが装備されている。
また、コンロバーナ１についても、点火プラグとしてのコンロバーナ用点火プラグＰｃ、及び、着火検出装置としてのコンロバーナ用着火センサＲｃが装備されている。
ちなみに、小火力バーナ１Ｂのコンロバーナ用点火プラグＰｃが、小火力バーナ１Ｂの後側箇所に配設されている（図１参照）。
【００５６】
図３に示すように、下部バーナ７Ｓの内部には、グリドル用調理容器Ｋの底部温度Ｔｓを検出する容器温度検出部として、グリドル用調理容器Ｋの底壁部に接触して底部温度Ｔｓを検出する容器温度検出センサ１１Ａが装備されている。
また、排気筒６Ａには、グリドル庫６の内部と連通する排気路Ｅの内部温度をグリドル庫６の庫内温度Ｔｎとして検出する庫内温度検出部として、庫内温度検出センサ１１Ｂが設けられている。
【００５７】
（ガス燃料の供給構成）
図２に示すように、都市ガス供給管等のガス供給源に接続される元ガス供給路１２に、電磁操作式の元ガス弁１３が設けられ、元ガス供給路１２からは、標準火力バーナ用分岐路１４ａ、小火力バーナ用分岐路１４ｂ、大火力バーナ用分岐路１４ｃ及びグリドルバーナ用分岐路１５の４系統のガス流路が分岐されている。
【００５８】
グリドルバーナ用分岐路１５に、下部バーナ７Ｓ及び上部バーナ７Ｕに対するガス燃料の供給圧力を設定圧に調整するガバナ１６が設けられ、ガバナ１６にて設定圧に調整されたガス燃料を下部バーナ７Ｓに導く下部バーナ用供給路１７Ｓ、及び、ガバナ１６にて設定圧に調整されたガス燃料を上部バーナ７Ｕに導く上部バーナ用供給路１７Ｕが、グリドルバーナ用分岐路１５から分岐されている。
【００５９】
標準火力バーナ用分岐路１４ａ、小火力バーナ用分岐路１４ｂ及び大火力バーナ用分岐路１４ｃの夫々には、ステッピングモータの駆動によって燃料ガスの流量を調整して加熱量（火力）を調整するためのコンロ用ガス量調整弁１８が備えられている。
また、下部バーナ用供給路１７Ｓ及び上部バーナ用供給路１７Ｕの夫々には、ステッピングモータの駆動によって燃料ガスの流量を調整して加熱量（火力）を調整するためのグリドル用ガス量調整弁１９が備えられている。
【００６０】
コンロバーナ１の火力は、コンロ用ガス量調整弁１８にて種々の火力に変更できるが、本実施形態においては、コンロバーナ１の火力が「強」「中」「弱」の３段階に変更されるものとする。
同様に、グリドルバーナ７における下部バーナ７Ｓ及び上部バーナ７Ｕの火力は、グリドル用ガス量調整弁１９にて種々の火力に変更できるが、本実施形態においては、下部バーナ７Ｓ及び上部バーナ７Ｕの夫々の火力が、「強」「中」「弱」の３段階に変更されるものとする。
【００６１】
（点火プラグの点火作動構成）
図２に示すように、イグナイタＮとして、第１イグナイタＮ１と、第２イグナイタＮ２が設けられている。
そして、下部バーナ７Ｓ及び上部バーナ７Ｕの夫々に対して配設された一対のグリドルバーナ用点火プラグＰｇが、第２イグナイタＮ２に接続されている。
【００６２】
また、標準火力バーナ１Ａ及び大火力バーナ１Ｃの夫々に対して配設された一対のコンロバーナ用点火プラグＰｃが、第１イグナイタＮ１に接続され、且つ、小火力バーナ１Ｂに対して配設されたコンロバーナ用点火プラグＰｃが、第２イグナイタＮ２に接続されている。
【００６３】
（ガスコンロの操作構成）
図１に示すように、コンロ本体Ｈの前側面におけるグリドルＧの右側の上方箇所には、標準火力バーナ１Ａ、小火力バーナ１Ｂ及び大火力バーナ１Ｃの夫々に対して各別に点火及び消火や火力調節を指令するための３つのコンロ操作具２０が設けられている。つまり、標準火力バーナ用操作具２０ａ、小火力バーナ用操作具２０ｂ、及び、大火力バーナ用操作具２０ｃが設けられている。
コンロ操作具２０は、押し操作されるごとに、点火指令と消火指令を交互に指令し、また、回転操作することにより、火力調節指令を指令するように構成されている。
【００６４】
コンロ本体Ｈの前側面におけるグリドルＧの右側の下方箇所には、コンロバーナ１による自動調理運転モードの設定を行うコンロバーナ用設定操作部２１（調理メニュー指令部の一例）が、下端側を支点にした前後揺動により開閉自在に設けられ、当該コンロバーナ用設定操作部２１の上面部には、標準火力バーナ１Ａ、小火力バーナ１Ｂ及び大火力バーナ１Ｃの夫々に対する設定操作を行うコンロ用操作パネル２１Ｐが設けられている。
【００６５】
コンロ本体Ｈの前側面におけるグリドルＧの左側の下方箇所には、グリドルバーナ７に対する設定を行うグリドル用設定操作部２２（調理メニュー指令部の一例）が、下端側を支点にした前後揺動により開閉自在に設けられ、当該グリドル用設定操作部２２の上面部には、点火指令、消火指令、火力調節指令、加熱調理時間調節指令、複数の調理メニューの選択指令等の種々の情報を指令するグリドル用操作パネル２２Ｐが設けられている。
【００６６】
（コンロバーナの調理メニューについて）
コンロバーナ用設定操作部２１は、湯沸し処理モード（湯沸しメニュー）、設定時間が経過すると自動消火するタイマー運転処理モード（タイマー運転メニュー）、コンロ用調理容器Ｊを設定温度に加熱する温調処理モード（温調処理メニュー）等の各種の自動調理運転モード（調理メニュー）を設定自在に構成されている。
標準火力バーナ１Ａ、小火力バーナ１Ｂ及び大火力バーナ１Ｃの夫々に対する設定操作構成は同様であるので、図６に基づいて、小火力バーナ１Ｂに対する設定構成を代表にして説明する。
【００６７】
つまり、調理メニューとしての湯沸し処理モードと温調処理モードとタイマー運転処理モードとを押操作するごとに切換え選択するメニュースイッチ２３、温調処理モードが選択されているときには、コンロ用調理容器Ｊを加熱する設定目標温度を増減し、かつ、タイマー運転処理モードが選択されているときに、タイマー運転処理モードの設定目標時間を増減する増減スイッチ２４、増減スイッチ２４にて設定された設定目標温度や設定目標時間を表示する表示部２５、及び、設定した内容を消去する取消スイッチ２６が設けられている。
【００６８】
本実施形態においては、温調処理モードは、標準火力バーナ１Ａ、小火力バーナ１Ｂ及び大火力バーナ１Ｃの夫々に対して設定できるが、小火力バーナ１Ｂについての温調処理モードとして、燃焼状態と消火状態とを繰り返す形態で燃焼させて温調する低温温調処理モード、及び、小火力バーナ１Ｂを消火することなく火力を強弱に変更する形態で温調する高温温調処理モードが設定できる。
【００６９】
これに対して、標準火力バーナ１Ａ及び大火力バーナ１Ｃについての温調処理モードとして、標準火力バーナ１Ａ及び大火力バーナ１Ｃを消火することなく火力を強弱に変更する形態で温調する高温温調処理モードが設定できる。
【００７０】
つまり、小火力バーナ１Ｂについての低温温調処理モードにおいては、設定目標温度を１００℃未満に設定でき、小火力バーナ１Ｂ、標準火力バーナ１Ａ及び大火力バーナ１Ｃについての高温温調処理モードにおいては、設定目標温度を１００℃以上に設定することになる。
尚、低温温調処理モードは、例えば、肉類等を低温で加熱調理するとき等に使用でき、また、高温温調処理モードは、例えば、揚げもの調理を行うとき等に使用できる。
【００７１】
ちなみに、温調処理モードは、加熱調理中にコンロバーナ１の火力を変更する火力変更式調理用加熱条件にてコンロバーナ１を燃焼作動させる火力変更式調理メニューに相当するものである。
そして、低温温調処理モードは、火力変更式調理用加熱条件がガスバーナＢを燃焼状態と消火状態とを繰り返す形態で燃焼させる条件に定められた間欠燃焼式調理メニューに相当し、高温温調処理モードは、火力変更式調理用加熱条件がガスバーナＢを消火することなく火力を強弱に変更する形態で燃焼させる条件に定められた継続燃焼式調理メニューに相当することになる。
【００７２】
また、本実施形態においては、メニュースイッチ２３にて調理メニューを設定した後において、コンロ操作具２０にて点火指令を指令することにより、設定される調理メニューを実行でき、また、コンロバーナ１の燃焼中において、メニュースイッチ２３にて調理メニューを設定した際にも、設定される調理メニューを実行できるように構成されている。
【００７３】
（グリドルの調理メニューについて）
グリドル用設定操作部２２による複数の調理メニューは、グリドル用操作パネル２２Ｐの操作により、複数の調理メニューのいずれかを指令（選択）するための各種の情報を表示部Ｄにて表示しながら選択され、加えて、グリドル用操作パネル２２Ｐの操作により、選択された調理メニューを開始するための点火指令、火力調節指令、加熱時間調節指令等の種々の情報を指令するように構成されている。
【００７４】
本実施形態においては、グリドルバーナ７について、グリドルバーナ７を消火することなく火力を強弱に変更する形態で温調する火力切替え式加熱室調理モード、及び、燃焼状態と消火状態とを繰り返す形態で燃焼させる間欠燃焼式加熱室調理モードが設定自在に構成されている。
尚、火力切替え式加熱室調理モードは、冷凍食品等の種々の調理物を設定温度で加熱調理する場合等において使用でき、また、間欠燃焼式加熱室調理モードは、後述する「パン生地発酵焼成モード」や「ローストビーフ」等の加熱調理に使用できる。
【００７５】
ちなみに、火力切替え式加熱室調理モード及び間欠燃焼式加熱室調理モードは、加熱調理中にグリドルバーナ７の火力を変更する火力変更式調理用加熱条件にてグリドルバーナ７を燃焼作動させる火力変更式調理メニューに相当する。
【００７６】
加えて、火力切替え式加熱室調理モードは、火力変更式調理用加熱条件がガスバーナＢを消火することなく火力を強弱に変更する形態で燃焼させる条件に定められた継続燃焼式調理メニューに相当することになり、又、間欠燃焼式加熱室調理モードは、火力変更式調理用加熱条件がガスバーナＢを燃焼状態と消火状態とを繰り返す形態で燃焼させる条件に定められた間欠燃焼式調理メニューに相当することになる。
【００７７】
また、本実施形態においては、グリドル用操作パネル２２Ｐにて調理メニューを設定した後において、グリドル用操作パネル２２Ｐにて点火指令を指令することにより、設定される調理メニューを実行できるように構成されている。
【００７８】
（ガスコンロの制御構成）
図２に示すように、ガスコンロＧＣの運転を制御する運転制御部Ｖが設けられ、当該運転制御部Ｖが、グリドルバーナ７やコンロバーナ１の運転（燃焼作動）及び表示部Ｄの表示作動を制御するように構成されている。
尚、運転制御部Ｖは、音声式報知部２７の報知作動及び電子音式報知部２８（点火報知部の一例）の報知作動を制御する報知処理を実行するように構成されており、その詳細は後述する。
【００７９】
すなわち、運転制御部Ｖが、標準火力バーナ用操作具２０ａ、小火力バーナ用操作具２０ｂ及び大火力バーナ用操作具２０ｃの夫々による点火指令や消火指令及び火力調節指令によって、標準火力バーナ１Ａ、小火力バーナ１Ｂ及び大火力バーナ１Ｃを点火火力（中火力）にて点火する点火処理や消火処理及び火力調節処理を行い、また、コンロバーナ用設定操作部２１の設定情報に基づいて、標準火力バーナ１Ａ、小火力バーナ１Ｂ及び大火力バーナ１Ｃの夫々に対する加熱調理運転を実行するように構成されている。
【００８０】
また、運転制御部Ｖが、グリドル用設定操作部２２の設定情報に基づいて、グリドルバーナ７を点火火力（強火力）にて点火する点火処理や消火処理及び火力調節処理を行ないながら、複数の調理メニューのうちの指令（選択）された調理メニューについての加熱調理運転を実行するように構成されている。
【００８１】
また、運転制御部Ｖは、標準火力バーナ用操作具２０ａや大火力バーナ用操作具２０ｃにて点火指令が指令されると、第１イグナイタＮ１を作動させて、標準火力バーナ１Ａ及び大火力バーナ１Ｃの夫々に対して配設されたコンロバーナ用点火プラグＰｃを点火作動させるように構成され、且つ、小火力バーナ用操作具２０ｂやグリドル用設定操作部２２にて点火指令が指令されると、第２イグナイタＮ２を作動させて、小火力バーナ１Ｂに対して配設されたコンロバーナ用点火プラグＰｃ並びに下部バーナ７Ｓ及び上部バーナ７Ｕに対して配設されているグリドルバーナ用点火プラグＰｇを点火作動させるように構成されている。
【００８２】
（コンロ部の運転制御の詳細）
運転制御部Ｖは、マイクロコンピュータを備える形態に構成されて、コンロバーナ１に対する運転（燃焼作動）を制御するものであって、コンロバーナ用設定操作部２１にて調理メニューが設定されている場合には、その設定されている調理メニューに対応する加熱条件でコンロバーナ１を燃焼作動させる調理処理を実行することになる。
そして、調理メニューとして、火力変更式調理メニューが設定されている場合には、火力変更式調理用加熱条件にてコンロバーナ１の燃焼作動を制御する火力変更式調理処理を実行することになる。
【００８３】
つまり、運転制御部Ｖが、コンロ操作具２０にて点火が指令されると、元ガス弁１３、コンロ用ガス量調整弁１８を操作して、コンロバーナ１に点火火力（中火力）の燃料ガスを供給する状態とし、加えて、コンロバーナ１に対するコンロバーナ用点火プラグＰｃを作動させかつコンロバーナ用着火センサＲｃにて着火を検出する点火処理を実行し、その後、コンロバーナ１の点火前に調理メニューが設定されている場合には、その調理メニューに対する調理処理を実行し、また、コンロバーナ１の点火後に調理メニューが設定されている場合には、その調理メニューに対する調理処理を実行するように構成されている。
そして、設定された調理メニューが火力変更式調理メニューである場合には、その火力変更式調理メニューに対する火力変更式調理処理を実行するように構成されている。
【００８４】
尚、調理メニューの加熱調理を中断する等の目的により、コンロ操作具２０にて消火指令が指令されると、元ガス弁１３、コンロ用ガス量調整弁１８を閉状態に操作して、コンロバーナ１を消火させることになる。
【００８５】
以下、小火力バーナ１Ｂについて設定される温調処理モードについて説明する。
運転制御部Ｖは、低温温調処理モードにおいては、燃焼状態と消火状態とを繰り返す形態で燃焼させる火力変更式調理用加熱条件にて小火力バーナ１Ｂを燃焼作動させる火力変更式調理処理を実行し、また、高温温調処理モードにおいては、消火することなく火力を強弱に変更する形態で小火力バーナ１Ｂを燃焼させる火力変更式調理用加熱条件にて小火力バーナ１Ｂを燃焼作動させる火力変更式調理処理を実行することになる。
【００８６】
つまり、コンロバーナ用設定操作部２１にて設定された設定目標温度が１００℃未満に設定される場合には、低温温調処理モードに対応する火力変更式調理用加熱条件が設定され、コンロバーナ用設定操作部２１にて設定された設定温度が１００℃以上に設定される場合には、高温温調処理モードに対応する火力変更式調理用加熱条件が設定されるように構成されている。
【００８７】
低温温調処理モードに対応する火力変更式調理用加熱条件が、小火力バーナ１Ｂの燃焼状態においてコンロバーナセンサ１Ｓにて検出される底壁温度Ｔｈが設定目標温度（例えば、５０℃）になると、小火力バーナ１Ｂを消火状態にする消火処理を実行し、かつ、当該消火状態においてコンロバーナセンサ１Ｓにて検出される底壁温度Ｔｈが設定目標温度よりも低い再点火温度（例えば、４６℃）になると、小火力バーナ１Ｂを中火力にて燃焼させる再点火処理を実行する条件に設定されている（図７参照）。
尚、設定目標温度は、コンロバーナ用設定操作部２１にて設定された設定温度に対応する温度である。
【００８８】
ちなみに、図７に示す如く、コンロバーナセンサ１Ｓの検出温度（底壁温度Ｔｈ）が設定目標温度（例えば、５０℃）になって、小火力バーナ１Ｂを消火しても、コンロ用調理容器Ｊの底壁温度Ｔｈは、設定目標温度（例えば、５０℃）を超えて上昇してから下降することになり、コンロバーナセンサ１Ｓの検出温度（底壁温度Ｔｈ）が再点火温度（例えば、４６℃）になったときには、調理容器Ｋの底壁温度Ｔｈは、再点火温度（例えば、４６℃）まで下降することになるため、コンロ用調理容器Ｊは、平均的には概ね５０℃に加熱された状態に維持されることになる。
【００８９】
また、高温温調処理モードに対応する火力変更式調理用加熱条件が、小火力バーナ１Ｂの燃焼状態においてコンロバーナセンサ１Ｓにて検出される底壁温度Ｔｈが設定目標温度（例えば、１５０℃）になると、小火力バーナ１Ｂの火力を弱火力に切替え、その後、コンロバーナセンサ１Ｓにて検出される底壁温度Ｔｈが設定目標温度（例えば、１５０℃）よりも低い再点火温度（例えば、１４６℃）になると、小火力バーナ１Ｂの火力を中火力に切替える条件に設定されている。
尚、設定目標温度は、コンロバーナ用設定操作部２１にて設定された設定温度に対応する温度である。
【００９０】
（グリドル部の運転制御の詳細）
運転制御部Ｖは、グリドル用設定操作部２２からの指令情報に基づいて、下部バーナ７Ｓ及び上部バーナ７Ｕに対する燃焼を制御することになる。
また、運転制御部Ｖは、グリドル用設定操作部２２で指令（選択）された調理メニューに対する調理運転を実行する際には、指令された調理メニューに応じて定めた調理用加熱条件で調理運転を実行するように構成されている。
【００９１】
そして、指令された調理メニューが火力切替え式加熱室調理モードに相当する場合には、消火することなく火力を強弱に変更する形態で燃焼させる火力変更式調理用加熱条件にてグリドルバーナ７の燃焼作動を制御する火力変更式調理処理を実行し、又、指令された調理メニューが間欠燃焼式加熱室調理モードに相当する場合には、燃焼状態と消火状態とを繰り返す形態で燃焼させる火力変更式調理用加熱条件にてグリドルバーナ７の燃焼作動を制御する火力変更式調理処理を実行するように構成されている。
【００９２】
すなわち、運転制御部Ｖは、表示部Ｄに表示されている複数の調理メニューのうちから、グリドル用設定操作部２２にてひとつの調理メニューが指令（選択）された後、グリドル用設定操作部２２にて点火指令が指令されると、元ガス弁１３、グリドル用ガス量調整弁１９を操作して、下部バーナ７Ｓ及び上部バーナ７Ｕに対して点火火力（強火力）の燃料ガスを供給する状態とし、加えて、下部バーナ７Ｓ及び上部バーナ７Ｕに対するグリドルバーナ用点火プラグＰｇを作動させかつグリドルバーナ用着火センサＲｇにて着火を検出する点火処理を実行することになる。
尚、調理メニューの加熱調理を中断する等の目的により、グリドル用設定操作部２２にて消火指令が指令されると、元ガス弁１３、グリドル用ガス量調整弁１９を閉状態に操作して、下部バーナ７Ｓ及び上部バーナ７Ｕを消火する消火処理を実行することになる。
【００９３】
下部バーナ７Ｓ及び上部バーナ７Ｕの燃焼状態において、下部バーナ７Ｓに対するグリドル用ガス量調整弁１９及び上部バーナ７Ｕに対するグリドル用ガス量調整弁１９を操作して、下部バーナ７Ｓ及び上部バーナ７Ｕの火力を、調理メニューごとに設定された火力に変更調節する火力調節処理を実行することになる。
また、調理メニューを実行しているときに、加熱調理を開始してからの経過時間が設定されている設定調理時間に達する等により、消火条件が満たされると、上述した消火処理を実行して、下部バーナ７Ｓ及び上部バーナ７Ｕを自動的に消火することになる。
【００９４】
（グリドルの調理メニューの詳細）
グリドルＧ（グリドル庫６）に対して設定する複数の調理メニューが、使用するグリドル用調理容器Ｋに応じて分類され、かつ、複数の分類メニューに振り分ける形態に設定されている。
また、複数の調理メニューとしては、本実施形態においては、食品種別としての「食品名」として設定される場合と、「ハンバーグステーキ」等の料理名として設定される場合と、「焼く」「煮る」等の加熱調理形態として設定される場合とを含むものである。
【００９５】
本実施形態においては、調理鍋９Ｃに設定されている調理メニューのうちの「パン生地発酵焼成モード」を、代表として説明する。尚、「パン生地発酵焼成モード」は、「パン生地発酵モード」と「パン生地焼成モード」とを順次実行することになる（図８参照）。
【００９６】
「パン生地発酵モード」は、一次発酵が完了したパン生地を二次発酵させる調理メニューであり、グリドルバーナ７を間欠燃焼させながら、パン生地を発酵用設定温度（例えば、３５〜３８℃）に加熱する条件に定められている。つまり、「パン生地発酵モード」は、燃焼状態と消火状態とを繰り返す形態でグリドルバーナ７を燃焼させる間欠燃焼式加熱室調理モードを実行するモードである。
【００９７】
具体的には、図８に示すように、調理開始時においては、グリドルバーナ７を初期加熱力にて燃焼させ、調理鍋９Ｃの底部温度Ｔｓが設定目標温度（例えば、３８℃）になると、グリドルバーナ７を消火することになり、その後は、調理鍋９Ｃの底部温度Ｔｓが設定下限温度（例えば、３５℃）になるとグリドルバーナ７を点火しかつ設定目標温度（例えば、３８℃）になるとグリドルバーナ７を消火させるようにしながら、設定継続加熱力にてグリドルバーナ７を加熱作動させるようにし、そして、調理開始時からの経過時間が設定調理時間（発酵時間：例えば、４０分）になると、グリドルバーナ７の加熱作動を停止する。
【００９８】
ちなみに、本実施形態では、初期加熱力として、グリドルバーナ７の下部バーナ７Ｓの火力を「弱」、上部バーナ７Ｕの火力を「強」にする火力が設定され、また、設定継続加熱力として、グリドルバーナ７の下部バーナ７Ｓの火力及び上部バーナ７Ｕの火力を「弱」にする火力が設定されている。
【００９９】
「パン生地焼成モード」は、発酵させたパン生地を焼成する調理メニューであり、下部バーナ７Ｓの火力を「弱」、上部バーナ７Ｕの火力を「強」にする状態で、焼成時間（例えば、１５分）の間だけグリドルバーナ７を燃焼させ、その後、グリドルバーナ７の燃焼を停止させた状態で、焼成余熱時間（例えば、２分）の間だけグリドル庫６が保有する熱量にて余熱する条件に定められている。
【０１００】
ちなみに、本実施形態においては、「パン生地発酵焼成モード」の「パン生地発酵モード」が実行されると、グリドルバーナ７を間欠燃焼させるために、グリドルバーナ７のグリドルバーナ用点火プラグＰｇを点火作動させると、その点火作動に合わせて、小火力バーナ１Ｂに対して配設されたコンロバーナ用点火プラグＰｃも点火作動することになる。
【０１０１】
しかしながら、小火力バーナ１Ｂが天板３の後部側に配置され且つ小火力バーナ１Ｂのコンロバーナ用点火プラグＰｃが小火力バーナ１Ｂの後側箇所に配置されているから、ガスコンロＧＣの前方側に位置する使用者には、小火力バーナ１Ｂのコンロバーナ用点火プラグＰｃの点火作動に伴うスパークの発生は見え難いものとなり、小火力バーナ１Ｂのコンロバーナ用点火プラグＰｃの点火作動に伴うスパークの発生が、使用者に不快感を与えることを回避できる。
【０１０２】
（報知処理の詳細）
報知処理は、コンロバーナ１及びグリドルバーナ７の燃焼作動に対して行われることになるが、先ず、グリドルバーナ７についての報知処理について説明する。
本実施形態においては、報知処理として、音声式報知処理と点火報知処理とが実行されることになり、また、火力切替え式加熱室調理モードと間欠燃焼式加熱室調理モードとのうちの間欠燃焼式加熱室調理モードについて報知処理が実行されるものとして説明する。
【０１０３】
すなわち、運転制御部Ｖが、火力変更式調理処理を開始する際に、加熱調理中に火力が変更されることを示す音声報知情報を音声式報知部２７にて報知する音声式報知処理を実行するように構成されている。
つまり、間欠燃焼式加熱室調理モードに対応する火力変更式調理処理を開始する際、例えば、「パン生地発酵焼成モード」に対応する火力変更式調理処理を開始する際に、音声報知情報が報知されるように構成されている。
音声報知情報としては、例えば、「マルチグリル  自動で点火する場合があります」との内容が考えられる。
ちなみに、音声報知情報を音声式報知部２７にて報知する際には、音声報知情報に先立って、注意を促す警報音（例えば、ピッピー等の電子音）を電子音式報知部２８にて報知させるように構成されている。
【０１０４】
ちなみに、本実施形態においては、警報音及び音声報知情報の報知を開始するタイミングは、グリドルバーナ用点火プラグＰｇを作動させた後であって、グリドルバーナ用着火センサＲｇが着火を検出したタイミングに設定されている。
【０１０５】
また、運転制御部Ｖが、間欠燃焼式加熱室調理モードに対応する火力変更式調理処理の実行中において、設定時間（例えば、３０分）が経過する毎に音声式報知処理を実行するように構成されている。
音声報知情報としては、火力変更式調理処理を開始する際と同様に、例えば、「マルチグリル  自動で点火する場合があります」との内容が考えられるが、その他の例として、「マルチグリルが自動調理中です  自動で点火する場合がありますのでご注意ください」との内容が考えられる。
ちなみに、音声報知情報を音声式報知部２７にて報知する際には、火力変更式調理処理を開始する際と同様に、音声報知情報に先立って、注意を促す警報音（例えば、ピッピー等の電子音）を電子音式報知部２８にて報知させるように構成されている。
【０１０６】
運転制御部Ｖが、間欠燃焼式加熱室調理モードに対応する火力変更式調理処理の実行中において、グリドルバーナ７を消火状態から燃焼状態に切換えるために点火作動させる際に、その点火作動に先立って、グリドルバーナ７が点火されるタイミングであることを示す点火報知情報を電子音式報知部２８にて報知する点火報知処理を実行するように構成されている。
具体的には、点火報知部として機能する電子音式報知部２８にて、注意を促す警報音（例えば、ピッピー等の電子音）を非音声情報として報知するように構成されている。
【０１０７】
ちなみに、本実施形態においては、グリドルバーナ７を点火するためにグリドルバーナ用点火プラグＰｇを点火作動させる際には、小火力バーナ１Ｂのコンロバーナ用点火プラグＰｃも点火作動することになるが、点火報知情報が報知されることにより、小火力バーナ１Ｂのコンロバーナ用点火プラグＰｃが点火作動することに対して、注意を促すことができる。
【０１０８】
さらに、運転制御部Ｖが、設定回数毎（例えば、５〜１０回毎）の点火報知処理において、点火報知情報を非音声情報に代えて、音声式報知部２７にて音声情報として報知するように構成されている。
つまり、間欠燃焼式加熱室調理モードに対応する調理メニューとしては、調理時間が長い「ローストビーフ」等の調理メニューが考えられる。そして、このような調理メニューに対する火力変更式調理処理の実行中において、設定回数毎（例えば、５〜１０回毎）の点火報知処理において、点火報知情報を非音声情報に代えて、音声式報知部２７にて音声情報として報知するように構成されている。
【０１０９】
点火報知情報の音声情報としては、例えば、「マルチグリル  自動で点火する場合があります」との内容が考えられるが、その他の例として、「自動で点火しますのでご注意ください」との内容が考えられる。
ちなみに、音声報知情報を音声式報知部２７にて報知する際には、火力変更式調理処理を開始する際と同様に、音声報知情報に先立って、注意を促す警報音（例えば、ピッピー等の電子音）を電子音式報知部２８にて報知させるように構成されている。
【０１１０】
（コンロバーナの報知処理）
コンロバーナ１についての報知処理について説明するが、本実施形態においては、報知処理として、音声式報知処理と点火報知処理とが実行されることになり、また、高温温調処理モードと低温温調処理モードとのうちの低温温調処理モードについて報知処理が実行されるものとして説明する。
【０１１１】
運転制御部Ｖが、低温温調処理モードについての火力変更式調理処理を開始する際に、加熱調理中に火力が変更されることを示す音声報知情報を音声式報知部２７にて報知する音声式報知処理を実行するように構成されている。
つまり、低温温調処理モードについての火力変更式調理処理を開始する際に、言語にて加熱調理中に火力が変更されることを示す音声報知情報が報知されるように構成されている。
音声報知情報の具体例としては、例えば、「小火力バーナ１Ｂが自動で点火する場合があります」との内容が考えられる。
ちなみに、音声報知情報を音声式報知部２７にて報知する際には、音声報知情報に先立って、注意を促す警報音（例えば、ピッピー等の電子音）を電子音式報知部２８にて報知させるように構成されている。
【０１１２】
ちなみに、本実施形態においては、警報音及び音声報知情報の報知を開始するタイミングは、コンロ用点火プラグＰｃを作動させた後であって、コンロバーナ用着火センサＲｃが着火を検出したタイミングに設定されている。
【０１１３】
また、運転制御部Ｖが、低温温調処理モードに対応する火力変更式調理処理の実行中において、設定時間（例えば、３０分）が経過する毎に音声式報知処理を実行するように構成されている。
音声報知情報としては、火力変更式調理処理を開始する際と同様に、例えば、「小火力バーナ１Ｂが自動で点火する場合があります」との内容が考えられるが、その他の例として、「小火力バーナ１Ｂが自動調理中です  自動で点火する場合がありますのでご注意ください」との内容が考えられる。
ちなみに、音声報知情報を音声式報知部２７にて報知する際には、火力変更式調理処理を開始する際と同様に、音声報知情報に先立って、注意を促す警報音（例えば、ピッピー等の電子音）を電子音式報知部２８にて報知させるように構成されている。
【０１１４】
運転制御部Ｖが、低温温調処理モードに対応する火力変更式調理処理の実行中において、小火力バーナ１Ｂを消火状態から燃焼状態に切換えるために点火作動させる際に、その点火作動に先立って、小火力バーナ１Ｂが点火されるタイミングであることを示す点火報知情報を電子音式報知部２８にて報知する点火報知処理を実行するように構成されている。
具体的には、点火報知部として機能する電子音式報知部２８にて、注意を促す警報音（例えば、ピッピー等の電子音）を非音声情報（言語ではない報知情報）として報知するように構成されている。
【０１１５】
さらに、運転制御部Ｖが、設定回数毎（例えば、５〜１０回毎）の点火報知処理において、点火報知情報を非音声情報に代えて、音声式報知部２７にて音声情報として報知するように構成されている。
【０１１６】
点火報知情報の音声情報としては、例えば、「小火力バーナ１Ｂが自動で点火する場合があります」との内容が考えられるが、その他の例として、「小火力バーナ１Ｂが自動で点火しますのでご注意ください」、「点火します」または「点火しますので注意してください」の内容が考えられる。
ちなみに、音声報知情報を音声式報知部２７にて報知する際には、火力変更式調理処理を開始する際と同様に、音声報知情報に先立って、注意を促す警報音（例えば、ピッピー等の電子音）を電子音式報知部２８にて報知させるように構成されている。
【０１１７】
〔別実施形態〕
次に、別実施形態を列記する。
（１）上記実施形態においては、火力変更式調理メニューとしての継続燃焼式調理メニューと間欠燃焼式調理メニューとのうちの、間欠燃焼式調理メニューに対して音声式報知処理を実行する場合を例示したが、継続燃焼式調理メニューに対しても音声式報知処理を実行するようにしてもよい。
つまり、グリドルバーナ７についての火力切替え式加熱室調理モードやコンロバーナ１の高温温調処理モードに対しても音声式報知処理を実行するようにしてもよい。
【０１１８】
この場合において、継続燃焼式調理メニューの火力変更式調理処理を開始する際の音声報知情報としては、「自動調理中に火力が切替ります」等の内容が考えられ、また、火力変更式調理処理の実行中の音声報知情報としては、「火力が増大します」等の内容を、火力を増大させるタイミングに合わせて報知することが考えられる。
【０１１９】
（２）上記実施形態においては、複数のコンロバーナ１として、３つのコンロバーナ１を備える場合を例示するが、例えば、天板３の前側に２つ以上のコンロバーナ１を横方向に並べ、かつ、天板３の後側に２つ以上のコンロバーナ１を並べる形態で、４つ以上のコンロバーナ１を備えさせるようにしてもよく、また、２つのコンロバーナ１を天板３の横幅方向や前後幅方向に並べる形態で備えさせる等、複数のコンロバーナ１を備える構成は各種変更できる。
【０１２０】
（３）上記実施形態においては、複数のコンロバーナ１のうちの１つのコンロバーナ１について、間欠燃焼式調理モードを設定できるように構成する場合を例示したが、２つ以上のコンロバーナ１について、間欠燃焼式調理モードを設定できるように構成する形態で実施してもよい。
つまり、上記実施形態においては、低温調理処理モードを、３つのコンロバーナ１のうちの小火力バーナ１Ｂにて実行させる場合を例示したが、３つのコンロバーナ１の全てが低温調理処理モードを実行するように構成してもよい。
【０１２１】
（４）上記実施形態においては、コンロバーナ１が間欠燃焼式調理モードを実行する調理モードとして、低温温調処理モードを例示したが、間欠燃焼式調理モードとして、例えば、低温にて煮物を加熱する煮物調理モードを設定できるようにする等、間欠燃焼式調理モードは、各種の調理モードに適用できる。
【０１２２】
（５）上記実施形態では、グリドルバーナ７が間欠燃焼式加熱室調理モードを実行する調理メニューとして、「パン生地発酵モード」や「ローストビーフ」を例示したが、グリドルバーナ７を間欠燃焼させる調理メニューとしては、例えば、プレートパン９Ａに載置した被調理物（例えば、ハンバーグや鶏もも肉等）を加熱する際に、グリドルバーナ７を点火状態と消火状態とを繰り返す状態で燃焼させて低温にて調理する調理メニューや、玄米を炊飯する最終工程としてのムラし工程において、グリドルバーナ７を消火した後再点火する玄米炊飯メニュー等、各種の調理メニューを挙げることができる。
【０１２３】
グリドルバーナ７を間欠燃焼させる調理メニューとして、「蒸し鶏」について説明すると、グリドルバーナ７を初期加熱力にて燃焼させ、調理鍋９Ｃの底部温度Ｔｓが初期設定目標温度（例えば、８５℃）になると、グリドルバーナ７を消火することになり、その後は、調理鍋９Ｃの底部温度Ｔｓが設定下限温度（例えば、７０℃）になるとグリドルバーナ７を点火しかつ設定目標温度（例えば、７５℃）になるとグリドルバーナ７を消火させるようにしながら、設定継続加熱力にてグリドルバーナ７を加熱作動させようにし、そして、調理開始時からの経過時間が設定調理時間（例えば、１００分）になると、グリドルバーナ７の加熱作動を停止する。
【０１２４】
（６）上記実施形態では、グリドル用調理容器Ｋとして、プレートパン９Ａ、波型プレートパン、及び、調理鍋９Ｃを備える場合を例示したが、グリドル用調理容器Ｋとして、調理鍋９Ｃのみを備える形態で実施する等、備えさせるグリドル用調理容器Ｋの具体構成は各種変更できる。
【０１２５】
（７）上記実施形態では、グルドルＧを加熱室式調理部として例示したが、加熱室式調理部としては、調理用加熱室としてのグリル庫及び加熱バーナとしてのグリルバーナを備えたグリルや、調理用加熱室としてのオーブン庫及び加熱バーナとしてのオーブンバーナを備えたオーブンを設ける形態で実施してもよい。
【０１２６】
（８）上記実施形態においては、間欠燃焼式調理モードとして、コンロ用調理容器Ｊの温度検出情報やグリドル用調理容器Ｋの温度検出情報に基づいて、ガスバーナＢを間欠燃焼させる場合を例示したが、例えば、設定時間おきに、燃焼状態と消火状態とに切換えるようにする等、燃焼状態と消火状態とに切換える具体構成は各種変更できる。
【０１２７】
（９）上記実施形態においては、イグナイタＮとして、第１イグナイタＮ１と第２イグナイタＮ２とを設けて、小火力バーナ１Ｂのコンロバーナ用点火プラグＰｃ、及び、上部バーナ７Ｕと下部バーナ７Ｓとのグリドルバーナ用点火プラグＰｇを、第２イグナイタＮ２に接続し、標準火力バーナ１Ａと大火力バーナ１Ｃとのコンロバーナ用点火プラグＰｃを、第１イグナイタＮ１に接続する場合を例示したが、イグナイタＮを設ける構成は各種変更できる。
【０１２８】
例えば、小火力バーナ１Ｂのコンロバーナ用点火プラグＰｃを接続するイグナイタＮ、上部バーナ７Ｕと下部バーナ７Ｓとのグリドルバーナ用点火プラグＰｇを接続するイグナイタＮ、標準火力バーナ１Ａと大火力バーナ１Ｃとのコンロバーナ用点火プラグＰｃを接続するイグナイタＮを設けるようにしてもよい。
【０１２９】
また、複数のコンロバーナ１のうちの複数のコンロバーナ１について、間欠燃焼式調理モードを設定できるように構成する場合等においては、間欠燃焼式調理モードを設定できる複数のコンロバーナ１のコンロバーナ用点火プラグＰｃの夫々に対してイグナイタＮを各別に設けるようにしてもよい。
【０１３０】
（１０）上記実施形態においては、調理用加熱室としてのグリドル庫６に配置した上部バーナ７Ｕ及び下部バーナ７Ｓを間欠燃焼させる間欠燃焼式調理メニューを例示したが、間欠燃焼式調理メニューとしては、例えば、上部バーナ７Ｕを連続して燃焼させ、かつ、下部バーナ７Ｓを間欠燃焼させる形態で燃焼させる調理メニューにする等、上部バーナ７Ｕ及び下部バーナ７Ｓのうちの少なくとも一つを間欠燃焼させる形態で燃焼させる調理メニューにしてもよい。
【０１３１】
（１１）上記実施形態においては、加熱室式調理部としてのグルドルＧを備えたガスコンロＧＣを例示したが、加熱室式調理部を備えないガスコンロＧＣに対しても、本発明は適用できる。
同様に、ガスコンロＧＣに装備されない専用の加熱室調理部に対しても、本発明を適用できる。
【０１３２】
（１２）本発明を実施するにあたり、音声式報知処理を実行する状態と音声式報知処理の実行を停止する状態とに切替え操作できるようにしておけば、使用者（調理者）が、必要に応じて音声式報知処理の実行を停止することができるものとなって、使用勝手の一層の向上を図ることができる。
【０１３３】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１３４】
６      調理用加熱室
２１    調理メニュー指令部
２２    調理メニュー指令部
２７    音声式報知部
２８    点火報知部
Ｂ      ガスバーナ
Ｊ      被加熱物
Ｋ      被加熱物
Ｖ      運転制御部
【図１】
2020186854.tif 000003
【図２】
2020186854.tif 000004
【図３】
2020186854.tif 000005
【図４】
2020186854.tif 000006
【図５】
2020186854.tif 000007
【図６】
2020186854.tif 000008
【図７】
2020186854.tif 000009
【図８】
2020186854.tif 000010